(57)【要約】      （修正有）【課題】外装として美感を備えた本体と、頭部が左右にブレないよう保持するため空気注入成形型チューブを出し入れ可能に内蔵した袋体によって構成することで、汚れに対しては本体を洗濯洗浄することができ、チューブが損傷した場合はチューブのみを交換することができ、さらに本体に装飾性の高いデザインの生地等を用いることで見た目も美しく気兼ねなく使用することができる新規の乗り物用携帯枕を提供することを目的とする。【解決手段】乗り物用携帯枕１は、使用する際に、袋体２に内蔵されたチューブに空気を注入し膨張させることで袋体２が円筒形に成形させ、枕基体３を座席１０の背もたれに取付紐４によって取り付ける。そして、両端の袋体２の間に後頭部をうずめることで頭部が左右の袋体２によって保持され、左右にブレることなく快適な睡眠が得られるようになる。【選択図】図４
0003123655.tif 000002
【実用新案登録請求の範囲】
【請求項１】
内部に空気注入成形式チューブを備え、側面に前記チューブの注入栓を取り出すことのできる開閉自在なスリットを設けた袋体と、
前記袋体を両端に設け、背面に座席取付紐挿通部を設けた枕基体と、
前記枕基体の座席取付紐挿通部に挿通し、座席に撒きつける取付紐とからなる乗り物用携帯枕。
【考案の詳細な説明】
【技術分野】
【０００１】
座席や椅子の背もたれに取り付けられ、着席者の頭部が左右にブレないよう保持し、快適な睡眠を提供する携帯枕に関する。
【背景技術】
【０００２】
これまで乗り物用携帯枕といえば、凹型空気充填式携帯枕が重宝された。この凹型空気充填式携帯枕は、凹型の凹み部分に首を嵌めこむことで枕として使用するものであった。しかし、前記凹型空気充填式携帯枕は首周りに装着するため横揺れに対して頭部が左右にもたげてしまい常に安眠が得られるようなものではなかった。そこで頭部が左右にもたげずに安眠が確保されるようにした『椅子用簡易携帯枕』（実開平１−８６８４２号公報、特許文献１参照。）がある。
【特許文献１】実開平１−８６８４２号公報
【考案の開示】
【考案が解決しようとする課題】
【０００３】
上述した特許文献１（実開平１−８６８４２号公報）では、筒状の空気袋を両端に接合してなる携帯枕であるが、本体をそのままの使用することによる汚れや損傷に対しては本体ごと代替品に交換するしかなく、また見た目も美感があるものではなく、長期間使用したり、またどこでも気軽に使用するには不都合な点も多かった。
【０００４】
そこで、本考案は、外装として美感を備えた本体と、頭部が左右にブレないよう保持するため空気注入成形型チューブを出し入れ可能に内蔵した袋体によって構成することで、汚れに対しては本体を洗濯洗浄することができ、チューブが損傷した場合はチューブのみを交換することができ、さらに本体に装飾性の高いデザインの生地等を用いることで見た目も美しく気兼ねなく使用することができる新規の乗り物用携帯枕を提供することを目的とする。
【課題を解決するための手段】
【０００５】
本考案は、前記目的を達成するため、
内部に空気注入成形式チューブを備え、側面に前記チューブの注入栓を取り出すことのできる開閉自在なスリットを設けた袋体と、
前記袋体を両端に設け、背面に座席取付紐挿通部を設けた枕基体と、
前記枕基体の座席取付紐挿通部に挿通し、座席に撒きつける取付紐からなるようにしたことを特徴としている（請求項１）。
【考案の効果】
【０００６】
本考案に係る乗り物用携帯枕は、汚れたら外装としての本体を洗濯洗浄することができる。また、チューブが破裂等の損傷を受けた場合、チューブだけを交換することが出来る。これにより、長期間使用することができる。さらに、本体に装飾性の高いデザインを施すことで見た目の美感をも起こさせ公共の場でも気兼ねなく使用することができる。
【考案を実施するための最良の形態】
【０００７】
以下、図面に基づいて本考案に係る乗り物用携帯枕の実施の形態について詳細に説明する。
図１（a），（b）は、本考案に係る乗り物用携帯枕の正面及び背面の斜視図である。図２は、本考案に係る乗り物用携帯枕の取付紐実装時の斜視図である。図３は、本考案に係る乗り物用携帯枕の袋体の拡大図である。図４は、本考案に係る乗り物用携帯枕の実施例の斜視図である。
【０００８】
図１（a），（b）は、本考案に係る乗り物用携帯枕の正面及び背面の斜視図である。図示した乗り物用携帯枕１は、袋体２と、枕基体３からなり、座席に取り付ける際には取付紐４（図２参照）を用いる。袋体２は、円筒外周に面ファスナー５によって開閉自在なスリット６を設け、内部に空気注入成形式チューブ７（図３参照）を備える。実際に使用する際は前記チューブ７に空気を注入し膨張させることで袋体２が弾性を備えた円筒形状となる。枕基体３は両端に袋体２を設け、背面に座席取付紐挿通部８を備える。なお、前記袋体２及び枕基体３は、人肌に直に触れることを想定して布製の生地を用いる。また公共の場で用いることも想定し装飾性を備えていることが望ましい。さらに、汚れた際に洗濯洗浄可能なものであるとよい。
【０００９】
図２は、本考案に係る乗り物用携帯枕の取付紐実装時の斜視図である。図示した乗り物用携帯枕１は、袋体２と、枕基体３からなり、座席に取り付ける際には取付紐４を用いる。枕基体３は、背面に座席取付紐挿通部８を備え、前記座席取付紐挿通部８に取付紐４を挿通する。前記取付紐４を座席に撒きつけることで、当該乗り物用携帯枕１を座席に固定することができる。この際、取付紐４の両端部は市販のアジャスターで接続すればよい。
【００１０】
図３は、本考案に係る乗り物用携帯枕の袋体の拡大図である。図示した袋体２は、円筒外周に面ファスナー５によって開閉自在なスリット５を設け、内部に空気注入成形式チューブ７を備える。空気注入成形式チューブ７は、前記袋体２に内蔵された際にちょうど前記スリット６の位置にくるよう注入栓９を設ける。また前記チューブ７は、前記袋体２の開閉自在なスリット６から袋体２に出し入れが可能となっている。
【００１１】
図４は、本考案に係る乗り物用携帯枕の実施例の斜視図である。図示した乗り物用携帯枕１は、使用する際に、チューブ７に空気を注入し膨張させることで袋体２を円筒形に成形し、枕基体３を座席１０の背もたれに取付紐４によって取り付ける。そして、両端の袋体２の間に後頭部をうずめることで頭部が左右の袋体２によって保持され、左右にブレることなく快適な睡眠が得られるようになる。なお、携帯時にはチューブ及び本体を薄く折りたたむことができ嵩張らず、持ち運びも容易であることは言うまでもない。
【産業上の利用可能性】
【００１２】
本考案は、頭部の左右のブレを抑えることのできる乗り物用携帯枕であるが、衝撃緩衝用として適宜使用することができる。
【図面の簡単な説明】
【００１３】
【図１】図１（a），（b）は、本考案に係る乗り物用携帯枕の正面及び背面の斜視図である。
【図２】本考案に係る乗り物用携帯枕の取付紐実装時の斜視図である。
【図３】本考案に係る乗り物用携帯枕の袋体の拡大図である。
【図４】本考案に係る乗り物用携帯枕の実施例の斜視図である。
【符号の説明】
【００１４】
１  乗り物用携帯枕
２  袋体
３  枕基体
４  取付紐
５  面ファスナー
６  スリット
７  空気注入成形式チューブ
８  座席取付紐挿通部
９  注入栓
１０  座席
【図１】
0003123655.tif 000003
【図２】
0003123655.tif 000004
【図３】
0003123655.tif 000005
【図４】
0003123655.tif 000006